(57)【特許請求の範囲】
【請求項１】
管接続部を分岐した管本体の一端側に雄ねじ部を形成すると共に雄ねじ部の途中にＯリングの係入用環状溝を形成し、管本体の他端側にＯリングを弾性変形させて密接させる筒部と雄ねじ部に螺合可能な雌ねじ部とを管接続部側にこの順で形成し、かつ、雄ねじ部における管接続部および係入用環状溝間に予めロックナットを螺着して、前記管本体の複数個を、Ｏリングと筒部とによって構成される止水手段を介して互いに相対回転可能に螺合連結する一方、前記ロックナットを筒部の端部に押圧して、管本体相互の相対回転を不能に構成して成ることを特徴とする配管用ヘッダー。
【請求項２】
管接続部を分岐した管本体の一端側に雄ねじ部を形成すると共に雄ねじ部に隣接した状態でＯリングの係入用環状溝を管接続部側に形成し、管本体の他端側にＯリングを弾性変形させて密接させる筒部と雄ねじ部に螺合可能な雌ねじ部とを管接続部側にこの順で形成し、更に、雄ねじ部よりも管接続部側の本体外面部と雌ねじ部の外面部とに、それぞれ同一形状のアウターセレーションを形成すると共に、これらのセレーションに噛合するインナーセレーションを形成したリングを、一方のアウターセレーションに噛合保持させ、かつ、リングのスライド規制部材を備えて、前記管本体の複数個を、Ｏリングと筒部とによって構成される止水手段を介して互いに相対回転可能に螺合連結する一方、この連結部間のアウターセレーションにわたってインナーセレーションを噛合させるようにリングをスライドさせ、かつ、これとは逆方向へのリングのスライドをスライド規制部材によって規制して、管本体相互の相対回転を不能に構成して成ることを特徴とする配管用ヘッダー。
【請求項３】
前記管接続部に、配管を直接的に接続してある請求項１または請求項２に記載の配管用ヘッダー。
【請求項４】
パイプジョイントを備えたエルボを、管接続部に対して回転ならびにロックナットによって固定可能に備えた請求項１または請求項２に記載の配管用ヘッダー。
【発明の詳細な説明】
【０００１】
【発明の属する技術分野】
本発明は、複数本の配管を分岐接続するための配管用ヘッダーに関する。
【０００２】
【従来の技術】
例えば給水と給湯の配管工事に際して、一般には、給水主管を分岐して、一方の配管を給湯設備に接続し、この給湯管と他方の給水管とを屋内に引き込んで、これを給湯用と給水用の配管用ヘッダーに接続し、このヘッダーから取り出した湯水の配管を、台所や洗面所、浴室の水栓や洗濯機、トイレのタンクなどに接続するようにしている。
【０００３】
この配管工事に用いられる従来の配管用ヘッダーは、図６に示すように、所定長さに切断した中空の連続鋳造棒を素材３１にして、これの中空部をヘッダー室３２とし、このヘッダー室３２の一端側に主管３３の接続口３４を形成すると共に、ヘッダー室３２の他端側にプラグ用の接続口３５を形成し、更に、複数個の管接続口３６をヘッダー室３２に連ねて形成すると共に、この管接続口３６のそれぞれに、水栓などへの配管３７を接続するためのジョイント３８を設けて成る。
【０００４】
【発明が解決しようとする課題】
ところが、上記構成の配管用ヘッダーでは、管接続口３６の向きが一定であるために、配管３７を一方向にしか取り出せず、逆方向への配管の取り出しに際しては、例えばエルボなどを用いて配管用ヘッダーを迂回させる必要があって、工事が面倒になるだけでなく、配管スペースを広く要する点で問題があった。
【０００５】
また、新たに水栓などを増設した際には、管接続口を増やした配管用ヘッダーとの交換が余儀ないもので、無駄に施工コストが嵩む点で問題があった。
【０００６】
本発明は、かゝる実情に鑑みて成されたものであって、その目的は、配管を互いに異なる水平方向や上下方向などに任意に取り出せる上に、水栓などの増設にも楽に対応できる配管用ヘッダーを提供する点にある。
【０００７】
【課題を解決するための手段】
即ち、本発明による請求項１記載の配管用ヘッダーは、管接続部を分岐した管本体の一端側に雄ねじ部を形成すると共に雄ねじ部の途中にＯリングの係入用環状溝を形成し、管本体の他端側にＯリングを弾性変形させて密接させる筒部と雄ねじ部に螺合可能な雌ねじ部とを管接続部側にこの順で形成し、かつ、雄ねじ部における管接続部および係入用環状溝間に予めロックナットを螺着して、前記管本体の複数個を、Ｏリングと筒部とによって構成される止水手段を介して互いに相対回転可能に螺合連結する一方、前記ロックナットを筒部の端部に押圧して、管本体相互の相対回転を不能に構成して成る点に特徴がある。
【０００８】
上記構成の配管用ヘッダーによれば、管本体を回転させることで、この管本体に分岐した管接続部の向きを簡単に変更することができ、かつ、管接続部の向きを変更させた管本体を、ロックナットの締め込みによって確実に固定することができる。
【０００９】
本発明による請求項２記載の配管用ヘッダーは、管接続部を分岐した管本体の一端側に雄ねじ部を形成すると共に雄ねじ部に隣接した状態でＯリングの係入用環状溝を管接続部側に形成し、管本体の他端側にＯリングを弾性変形させて密接させる筒部と雄ねじ部に螺合可能な雌ねじ部とを管接続部側にこの順で形成し、更に、雄ねじ部よりも管接続部側の本体外面部と雌ねじ部の外面部とに、それぞれ同一形状のアウターセレーションを形成すると共に、これらのセレーションに噛合するインナーセレーションを形成したリングを、一方のアウターセレーションに噛合保持させ、かつ、リングのスライド規制部材を備えて、前記管本体の複数個を、Ｏリングと筒部とによって構成される止水手段を介して互いに相対回転可能に螺合連結する一方、この連結部間のアウターセレーションにわたってインナーセレーションを噛合させるようにリングをスライドさせ、かつ、これとは逆方向へのリングのスライドをスライド規制部材によって規制して、管本体相互の相対回転を不能に構成して成る点に特徴がある。
【００１０】
上記構成の配管用ヘッダーによっても、管本体を回転させることで、この管本体に分岐した管接続部の向きを簡単に変更することができる。そして、リンクをスライドさせて、隣り合う管本体のアウターセレーションにわたってインナーセレーションを噛合させ、かつ、スライド規制部材によってリングのスライドを規制させることで、管接続部の向きを変更させた管本体を確実に固定することができる。
【００１１】
従って、本発明の配管用ヘッダーによれば、管接続部の向きを個々に変更することで、配管を互いに異なる水平方向や上下方向などに任意に取り出せることから、例えば配管用ヘッダーを迂回させるような工事が一切不要となり、その分、配管工事を楽に行えるだけでなく、配管スペースも狭くて済む利点がある。
【００１２】
また、本発明によれば、管本体を順次接続するだけで、所定数の管接続部を備えた配管用ヘッダーを得ることができるのであって、これは延いては、管接続部を簡単に増やせることに繋がるのであって、従って本発明によれば、水栓などの増設にも簡易かつ安価に対応することができるのである。
【００１３】
【発明の実施の形態】
以下、本発明の実施の形態を図面に基づいて説明する。図１は給水と給湯の配管系統の一例を示しており、図中の１は給水主管、２は給湯装備で、給水主管１からの分岐管３が接続されている。
【００１４】
そして、給水主管１と給湯装備２からの給湯主管４とを屋内に引き込んで、それぞれを給水用と給湯用の配管用ヘッダー５，６に接続している。尚、配管用ヘッダー５，６は、例えばクランプなどによって床部材などに固定される。
【００１５】
給水用の配管用ヘッダー５には、５本の配管７が接続され、各配管７が、台所と洗面所、浴室、洗濯機に備えた水栓８とトイレのタンク９とに接続されている。また、給湯用の配管用ヘッダー６には、４本の配管７が接続され、各配管７が上記の水栓８に接続されている。
【００１６】
給水用の配管用ヘッダー５は、図２に示すように、管接続部１０を分岐した管本体１１の５体を順次連結して成り、詳細な図示を省略するが、給湯用の配管用ヘッダー６は、管本体１１の４体を順次連結して成る。
【００１７】
そして、主管１，４を一端側の管本体１１に雄ねじ接続する場合は、他端側の管本体１１にはキャップ２７が設けられ、主管１，４を一端側の管本体１１に雌ねじ接続する場合は、図示を省略するが、他端側の管本体１１にはプラグが設けられる。
【００１８】
図３に示すように、管接続部１０を分岐した管本体１１の一端側には、雄ねじ部１２と、止水手段１３を構成するＯリングａの係入用環状溝１４とが形成され、他端側には、Ｏリングａを弾性変形させて密接させる筒部１５と、雄ねじ部１２と同じ口径の雌ねじ部１６とが形成されている。
【００１９】
尚、配管用ヘッダー５，６に接続の配管７は、架橋ポリエチレンやポリブテン等の柔軟性を有する樹脂パイプ７ａを、蛇腹状のさや管７ｂに挿通して成り、かつ、管接続部１０には、樹脂パイプ７ａを挟着するためのジョイント１７が設けられている。
【００２０】
配管用ヘッダー５，６は、例えば次のようにして組み立てられる。即ち、先ずは必要数の管本体１１を用意して、この管本体１１の雄ねじ部１２に予めロックナット１８を螺着し、かつ、このロックナット１８を環状溝１４よりも奥にまで螺進させて、環状溝１４にＯリングａを係入保持させるのである。
【００２１】
そして、この必要数の管本体１１を順次、隣り合う管本体１１，１１のＯリングａと筒部１５とによって止水手段１３を構成するように、雄ねじ部１２と雌ねじ部１６とによって螺合連結することで、管接続部１０の向き変更が可能な配管用ヘッダー５，６が構成されるのであり、かつ、管接続部１０の向きを所定の方向に変更した後に、ロックナット１８を締め込んで、管本体１１の端部を押圧することで、向き変更後の管接続部１０ひいては隣り合う管本体１１，１１を互いに固定するのである。
【００２２】
従って、かゝる構成の配管用ヘッダー５，６によれば、管接続部１０の向きを個々に変更することで、配管７を互いに異なる水平方向や上下方向などに任意に取り出せることから、例えば配管用ヘッダー５，６を迂回させるような工事を必要としないで、配管工事を楽に行うことができるのであり、かつ、配管スペースも狭くて済む利点がある。
【００２３】
また、管本体１１を順次接続するだけで、所定数の管接続部１０を備えた配管用ヘッダー５，６を得ることができることから、管本体１１を増やすことで、水栓などの増設にも簡易かつ安価に対応することができる。
【００２４】
尚、上記の実施の形態では、管本体１１に分岐の管接続部１０に、配管７を直接的に接続する形態をとっているが、図４に示すように、パイプジョイント１９を備えたエルボ２０を、管接続部１０に対して回転ならびにロックナット２８によって固定可能に備えれば、配管の接続方向を更に変更させ得る利点がある。
【００２５】
別の実施の形態による配管用ヘッダー５，６を図５に示している。この実施の形態では、隣り合う管本体１１，１１の固定手段を次のように構成しているである。
【００２６】
即ち、管接続部１０を分岐した管本体１１に対して、これの一端側に雄ねじ部１２とＯリングａの係入用環状溝１４とを形成すると共に、管本体１１の他端側に、Ｏリングａとによって止水手段１３を構成する筒部１５と、雄ねじ部１２と同じ口径の雌ねじ部１６を形成した上で、雄ねじ部１２よりも管接続部１０側の本体外面部と雌ねじ部１６の外面部とに、それぞれ同一形状のアウターセレーション２１，２２を形成し、かつ、管接続部１０にパイプジョイント１９を備えている。
【００２７】
そして、これらのアウターセレーション２１，２２に噛合するインナーセレーション２３を形成したリング２４を、雌ねじ部１６側のアウターセレーション２２に噛合保持させると共に、このリング２４の抜け止め用のスライド規制部材２５を、リング部材の一箇所を切断して拡縮径を可能に構成して、これをアウターセレーション２２に形成した環状溝２６に備えている。
【００２８】
上記構成の管本体１１による配管用ヘッダー５，６の組み立てに際しては、必要数の管本体１１を用意して、この管本体１１を順次、隣り合う管本体１１，１１間に止水手段１３を構成するように、雄ねじ部１２と雌ねじ部１６とによって螺合連結するのであって、これによって管接続部１０の向き変更が可能な配管用ヘッダー５，６が構成されるのである。
【００２９】
そして、管接続部１０の向きを所定の方向に変更した後に、スライド規制部材２５を拡径させて、これをリング２４の外面部に預け持たせ、かつ、リング２４をスライドさせて、このリング２４のインナーセレーション２３を、隣り合う管本体１１，１１の連結部間におけるアウターセレーション２１，２２にわたって噛合させ、更に、リング２４に預け持たせたスライド規制部材２５を環状溝２６に嵌め込んで、前記リング２４の逆方向へのリングのスライドを規制することで、向き変更後の管接続部１０ひいては隣り合う管本体１１，１１を互いに固定することができるのである。
【００３０】
従って、かゝる構成の配管用ヘッダー５，６によっても、管接続部１０の向きを個々に変更可能であって、配管７を互いに異なる水平方向や上下方向などに任意に取り出せることから、配管工事を楽に行うことができるのであり、かつ、配管スペースも狭くて済み、更に、管本体１１を増やすことで、水栓などの増設にも簡易かつ安価に対応することができるのである。
【００３１】
【発明の効果】
以上説明したように本発明によれば、管接続部の向きが個々に変更可能で、従って、配管を互いに異なる水平方向や上下方向などに任意に取り出せる上に、水栓などの増設にも楽に対応できる配管用ヘッダーが提供される。
【図面の簡単な説明】
【図１】  給水と給湯の配管系統図である。
【図２】  配管用ヘッダーの外観図である。
【図３】  配管用ヘッダーの組み立て説明図である。
【図４】  別の実施の形態による管本体の断面図である。
【図５】  別の実施の形態による配管用ヘッダーの部分断面図である。
【図６】  一部を破断した従来例の配管用ヘッダーの外観図である。
【符号の説明】
１０…管接続部、１１…管本体、１２…雄ねじ部、１３…止水手段、１４…係入用環状溝、１５…筒部、１６…雌ねじ部、１８…ロックナット、２１，２２…アウターセレーション、２３…インナーセレーション、２４…リング、２５…スライド規制部材、ａ…Ｏリング。
【図１】
0004109396.tif 000002
【図２】
0004109396.tif 000003
【図３】
0004109396.tif 000004
【図４】
0004109396.tif 000005
【図５】
0004109396.tif 000006
【図６】
0004109396.tif 000007